(57)【特許請求の範囲】
【請求項１】
建物に付設される付設物の構造材の端部が、この端部の内部に挿入された基端部材を介して前記建物に結合され、締め付け可能な締結具で前記建物に締結されている前記基端部材の基端部が、前記基端部材を挿入する透孔が形成されたカバーで覆われており、このカバーに前記構造材の端部が突き当てられているとともに、前記カバーには、溝型状の形状になっている前記構造材のその溝型状の形状による開口から前記締結具を覗くことが可能であってこの締結具の締め付けを行う工具を挿入可能な点検口が設けられ、前記建物の壁の壁材が前記カバーで覆われた前記基端部の箇所を除いて前記建物に被覆されていることを特徴とする建物付設物の取付構造。
【請求項２】
請求項１に記載の建物付設物の取付構造において、前記カバーは、前記構造材の縦断面と同じかこれよりも少し大きい面積を有していることを特徴とする建物付設物の取付構造。
【請求項３】
請求項１又は２に記載の建物付設物の取付構造において、前記構造材は、前記付設物の内側に向かって開口した溝型状の形状となっていることを特徴とする建物付設物の取付構造。
【請求項４】
請求項１〜３のいずれかに記載の建物付設物の取付構造において、前記点検口を塞ぐ蓋部材を備え、この蓋部材は取り付け、取り外し自在であることを特徴とする建物付設物の取付構造。
【請求項５】
請求項１〜４のいずれかに記載の建物付設物の取付構造において、前記締結具は、頭部が前記カバーで覆われて前記建物の構造材に挿通されたボルトと、この構造材から突出した前記ボルトの先端に螺合されたナットとを含んだものであり、このナットは、このナットと前記建物の構造材との間に介入された座部材に対して少なくとも回転方向に連結状態となっていることを特徴とする建物付設物の取付構造。
【発明の詳細な説明】
【０００１】
【発明の属する技術分野】
本発明は、建物に付設される付設物の取付構造に係り、例えば、住宅やビルに付設されるバルコニ、集合住宅に付設される外廊下、外階段等に利用できるものである。
【０００２】
【背景技術】
住宅には外部に突出した付設物としてのバルコニが設けられ、このバルコニが住宅の外壁の仕上げ前に取り付けられる先付けバルコニであって、例えば、住宅が木軸組み式のものであるときには、このバルコニの構造材である桁材の基端部は、外壁の仕上げ前に住宅の構造材である木製の柱にボルト、ナットによる締結具で締結され、この後、外壁の仕上げ作業が行われる。
【０００３】
【発明が解決しようとする課題】
このようにバルコニの住宅への取付作業を行う従来の作業方法によると、住宅の柱に締結具で締結されたバルコニの桁材の基端部は、外壁材で覆われることになり、この基端部および締結具の状態を住宅の完成後は確認することができない。近年、住宅の一層の高品質化が求められ、住宅完成後に年月が経っても一定以上の品質を保持していることが要求されるようになってきているが、前述の従来技術によると、住宅の柱に締結されたバルコニの桁材の基端部に関しては、住宅完成後に確認作業を行えないため、その確認による品質管理を行えないという問題があった。
【０００４】
本発明の目的は、住宅等の建物の完成後であっても、付設物の構造材の基端部を確認できるようになる建物付設物の取付構造を提供するところにある。
【０００５】
【課題を解決するための手段】
本発明に係る建物付設物の取付構造は、建物に付設される付設物の構造材の基端部が建物に結合され、この基端部がカバーで覆われているとともに、建物の壁の壁材がこのカバーで覆われた前記基端部の箇所を除いて建物に被覆され、かつ壁材から露出しているカバーに基端部を覗くことが可能な点検口が設けられていることを特徴とするものである。
【０００６】
本発明によると、建物の壁の壁材はカバーで覆われた付設物の構造材の基端部を除いて建物に被覆され、このカバーには基端部を覗くことができる点検口が設けられているため、建物の完成直後やこの完成から年月が経った後であっても、基端部の状態を点検口から確認することができるようになり、付設物についての品質確認が可能になる。
【０００７】
ここで、建物は木軸組み式のものに限らず、鉄骨軸組み式のものでもよく、さらにはパネル工法やユニット工法によるものでもよく、そして付設物の構造材の基端部と建物との結合は、ボルトやリベット等の締結具によるものでもよく、あるいは、これらの基端部と建物の金属製構造材とを溶接したものでもよく、どのような形式の結合構造であっても、カバーに点検口を設けることにより、基端部の確認作業を行える。
【０００８】
カバーの点検口は常時開口しているものでもよく、また、通常時は蓋部材で塞がれ、この蓋部材が取り付け、取り外し自在となっていて、基端部の確認作業等を行う必要時に蓋部材を取り外すことにより、点検口が開口するようになっていているものでもよい。後者のようになっていると、通常時、点検口は蓋部材で塞がれているため、雨天時に雨水がカバー内に入るのを防止できる。
【０００９】
この蓋部材は、点検口への圧入式のものでもよく、ビスでカバーに止めるビス止め式のものでもよく、その形式は任意である。
【００１０】
また、カバーの点検口は、付設物の基端部を確認するために覗くだけのために使用されるものでもよく、あるいは、付設物の基端部が建物にボルト等の締め付け可能な締結具で締結されている場合には、基端部を確認できるとともに、この締結具を締め付けるための工具を挿入できる大きさを有するものとしてもよい。締結具がボルトとナットを含んだものである場合、この工具で回転操作されるものはボルトの頭部でもよく、ナットでもよい。
【００１１】
このように点検口が付設物の基端部を確認できるだけではなく、締結具を締め付けるための工具を挿入可能な大きさを有していると、この工具で締結具を締め付けることができるため、建物に対する付設物の大きな取付強度を随時確保する作業を行えるようになる。
【００１２】
付設物の構造材の基端部を建物の構造材に締結する締結具がボルト、ナットを含んだものである場合であって、ボルトの頭部が前記カバーで覆われる場合には、ボルトの軸部は建物の構造材に挿通されてその先端はこの構造材から突出し、この先端にナットが螺合されるとともに、このナットと構造材との間に座部材が介入されることになる。このナットは、座部材に対して自由状態となっているよりも、少なくとも回転方向に座部材に対して連結状態となっていることが好ましい。
【００１３】
このようにナットが座部材に対して少なくとも回転方向に連結状態になっていると、カバーの点検口から挿入した前記工具をボルトの頭部に係合させてボルトを回転させたとき、建物の構造材に接触する座部材によりナットの回転を阻止できるため、ボルトとナットにより付設物の構造材の基端部を建物の構造材に締結して建物に対する付設物の大きな取付強度を確保する作業を確実に行えるようになる。
【００１４】
ここで、ナットを座部材に対して少なくとも回転方向に連結状態とするためには、ナットと座部材とを溶接や接着等で結合してもよく、座部材が板状である場合には、座部材の一部を折り曲げたり切り起こしたりしてナットの回転を阻止する突起を形成してもよい。
【００１５】
また、座部材を建物の構造材に対して少なくとも回転方向に連結状態にしてもよい。このように座部材を建物の構造材に対して少なくとも回転方向に連結状態とするためには、座部材と構造材とを接着等で結合してもよく、座部材が板状である場合には、座部材の一部を折り曲げたり切り起こしたりして構造材に食い込む突起を形成してもよい。
【００１６】
以上において、付設物の構造材の基端部はこの構造材自身の端部であってこの端部が建物に結合されるようになっていてもよく、また、付設物の構造材の基端部がこの構造材自身の端部ではなく、構造材とは別の部品となった基端部材が用意され、建物に結合されたこの基端部材に構造材を接続することにより、基端部材が構造材の建物に結合された基端部となるようになっていてもよい。
【００１７】
また、本発明に係る建物付設物の取付構造は、一般住宅やビルに設けられバルコニ、集合住宅の外部に付設される外廊下、外階段に適用でき、さらにはビルの外部に付設される非常階段等にも適用可能であり、その他、建物の内部に設けられる階段等にも適用できる。
【００１８】
さらに、基端部が建物に結合される付設物の構造材は桁材でもよく、梁材でもよい。そして、この構造材の基端部が建物の構造材に結合される場合には、この建物の構造材は柱でもよく、桁材でもよく、梁材でもよい。
【００１９】
【発明の実施の形態】
以下に本発明の実施形態を図面に基づいて説明する。図１は、本実施形態に係る建物付設物の取付構造が採用されている建物の開口部１を示し、この建物は、木軸組み式の住宅であり、開口部１にはこの住宅の付設物であるバルコニ２が設けられている。このバルコニ２の床部３にはデッキ材４が敷設され、床部３は、住宅の外壁から延設された左右２本の桁材５を含む構造材により骨組みが形成されている。なお、図１で示された開口部１の前面は住宅用シャッター６のシャッターカーテンで遮蔽、開放されるようになっているため、開口部１の上部には、このシャッターカーテンが格納されて庇代わりとなっているシャッターボックス７が設けられている。
【００２０】
図２は、住宅に締結されている桁材５の基端部を示し、図３は図２のIII−III線断面図で、図４は桁材５の基端部の分解斜視図である。本実施形態では、バルコニ２の構造材になっている桁材５の端部は住宅に直接結合されず、基端部材１０を介して住宅に結合されるようになっている。この基端部材１０は、図４で示されているように、短寸の溝型鋼からなる本体部１１と、本体部１１の先端に接合された板材からなるブラケット部１２とからなり、ブラケット部１２が図２で示されているボルト１３、ナット１４で住宅の構造材である木製の柱１５に締結された後、桁材５に形成されている図４の角状筒部５Ａの内部に本体部１１を挿入することによって桁材５を基端部材１０に係合させ、図示しないボルト等の結合具で桁材５と基端部材１０とを結合することにより、基端部材１０が桁材５の基端部となって桁材５が住宅の柱１５に結合されるようになっている。
【００２１】
桁材５が基端部材１０に結合される前に、図４で示されている通り、基端部材１０の本体部１１の外側にカバー１６が挿入係合される。このカバー１６は金属板の折り曲げ品またはプラスチック品であり、カバー１６は、桁材５の縦断面と同じかこれよりも少し大きい面積を有するとともに、桁材５の端部が突き当てられる四角形の正面部１６Ａと、この正面部１６Ａの各辺からＬ字状に屈曲延出されて柱１５に押し当てられる縁部１６Ｂとからなる。正面部１６Ａには基端部材１０の本体部１１の縦断面と対応する形状の透孔１７が形成されており、この透孔１７により本体部１１の外側へのカバー１６の挿入係合が行われる。
【００２２】
カバー１６の各縁部１６Ｂが柱１５に突き当てられたとき、図２に示されているように、正面部１６Ａと柱１５との間に基端部材１０のフランジ部１２と前記ボルト１３の頭部１３Ａとを収納できる大きさの空間ができるようになっている。
【００２３】
また、カバー１６の正面部１６Ａには点検口１８が形成され、この点検口１８が形成された位置は前記ボルト１３の位置と対応しており、カバー１６が基端部材１０の本体部１１に挿入係合されて縁部１６Ｂが柱１５に押し当てられたとき、点検口１８から基端部材１０のフランジ部１２に挿通されたボルト１３の頭部１３Ａを覗くことができるようになっている。通常時の点検口１８は図２の蓋部材１９で塞がれ、この蓋部材１９はゴムまたは軟質プラスチック等の柔軟性を有する材料からなり、先細り状の先部１９Ａの後部に円環溝１９Ｂが形成されたものとなっている。先部１９Ａを点検口１８に圧入することによって円環溝１９Ｂを点検口１８の外周縁に係合することにより、蓋部材１９は点検口１８に取り付けられ、これにより点検口１８は塞がれ、また、蓋部材１９は点検口１８から取り外すことが可能である。
【００２４】
次ぎに、図１の住宅にバルコニ２を取り付ける作業を説明する。木軸組み式の住宅の軸組み作業が終わり、外壁施工作業が始まる前に、基端部材１０のフランジ部１２にボルト１３を挿入し、このボルト１３を柱１５にも挿通させ、柱１５から突出したボルト１３の先端にナット１４を螺合する。このナット１４は座部材２０に溶接されており、したがってナット１４はこの座部材２０に回転方向にも軸方向にも連結されている。ボルト１３の頭部１３Ａに工具を係合し、この工具でボルト１３を回転させて締め付けることにより、ボルト１３とナット１４で基端部材１０を柱１５に締結する。
【００２５】
この後、カバー１６の透孔１７に基端部材１０の本体部１１を入れることによりカバー１６を本体部１１の外側に挿入係合し、本体部１１の終端近くまで移動させたカバー１６の縁部１６Ｂを柱１５に突き当てて釘２１で縁部１６Ｂを止めることにより、カバー１６を柱１５に固定する。そして、カバー１６の点検口１８を蓋部材１９で塞ぐ。次いで、桁材５の角状筒部５Ａに基端部材１０の本体部１１を挿入することにより基端部材１０に桁材５を係合させ、これらの桁材５と基端部材１０とをボルト等の結合具で結合する。
【００２６】
桁材５は、図２、図４で示されている通り、角状筒部５Ａから横方向に延びる延出部５Ｂを備えており、以上のようにして住宅の柱１５に基端部材１０が基端部となって締結された左右一対の桁材５の先端同士を連結材で連結するとともに、図３に示すように、これらの桁材５における延出部５Ｂ間に図１でも示されているデッキ材４を架設する。これにより出来上がるバルコニ２の床部３に手摺りを取り付ける作業等を行うことにより、住宅の柱１５に固定されたバルコニ２を組み立てる。
【００２７】
このように外壁材に先立ち住宅に先付けされるバルコニ２を組み立てた後、図２に示されている外壁材２２を施工する作業を行う。この外壁材２２による住宅の外壁仕上げ作業は、カバー１６で覆われた箇所を除いて住宅にサイディングまたはモルタル等による外壁材２２を施工することにより行い、これにより、住宅が完成する。
【００２８】
なお、住宅の柱１５に基端部材１０を取り付け、基端部材１０の本体部１１の外側に挿入係合させたカバー１６を釘２１で柱１５に固定した後、外壁材２２の施工作業を行い、この後、基端部材１０に桁材５を結合する作業を行うようにしてもよい。また、外壁材２２の表面に吹き付け塗装等による仕上げ皮膜を形成する場合には、この仕上げ皮膜を外壁材２２の表面と連続させてカバー１６の表面に形成してもよい。
【００２９】
住宅の完成から年月を経た後に柱１５に対する基端部材１０のフランジ部１２やボルト１３の状態を確認するときには、先ずデッキ材４を取り外す。図３に示されているように、桁材５はバルコニ２の内側に向かって開口した溝型状の形状になっているため、デッキ材４を取り外すと、カバー１６の上下２個の点検口１８に取り付けられていた蓋部材１９のうちの上側の蓋部材１９を取り外すことができ、また、バルコニ２の下に脚立や梯子を使って上がることにより下側の蓋部材１９を取り外すことができる。
【００３０】
この後、蓋部材１９が取り外された点検口１８から、カバー１６で覆われていた桁材５の基端部である基端部材１０のフランジ部１２、ボルト１３の状態を確認し、また、点検口１８からボルト１３を回転させる図３で示された工具２３を挿入し、この工具２３をボルト１３の頭部１３Ａに係合させてボルト１３を回転させ、ボルト１３の締め付けを行う。これにより、たとえ柱１５の経年変化等でボルト１３とナット１４とによる柱１５への基端部材１０の取付強度が小さくなっていても、この強度を回復させることができる。
【００３１】
以上の作業後、点検口１８への蓋部材１９の取り付け、デッキ材４の敷設作業を行うことにより、バルコニ２は元の状態に戻る。
【００３２】
以上説明した本実施形態によると、柱１５に結合された桁材５の基端部になっている基端部材１０のフランジ部１２、ボルト１３の頭部１３Ａはカバー１６で覆われ、このカバー１６には点検口１８が形成され、カバー１６で覆われた箇所を除いて住宅に外壁材２２を被覆しているため、住宅の完成後に点検口１８から基端部材１０のフランジ部１２、ボルト１３の状態を確認できるようになり、住宅の付設物であるバルコニ２の品質管理を行える。
【００３３】
また、通常時の点検口１８は蓋部材１９で塞がれているため、雨天時に雨水が点検口１８からカバー１６の内部に侵入するのを防止でき、蓋部材１９は取り付け、取り外し自在であるため、ボルト１３等の確認作業を行うときには取り外せばよい。
【００３４】
また、点検口１８は、締結具であるボルト１３を回転させて締め付けるための工具２３を挿入できる大きさになっているため、ボルト１３等の確認作業だけではなく、ボルト１３の締付作業も行え、住宅に対するバルコニ２の取付強度を回復させる作業を実施できる。
【００３５】
さらに、ボルト１３と共に基端部材１０のフランジ部１２を柱１５に締め付けるナット１４は、このナット１４と柱１５との間に介入されている座部材２０に溶接されてこの座部材２０に少なくとも回転方向に連結されているため、工具２３でボルト１３を回転させたとき、柱１５に大面積で接触する座部材２０により、ナット１４がボルト１３と一体に回転するのを阻止でき、このため、ボルト１３の頭部１３Ａを住宅の外側から工具２３で回転させる作業を行うと、確実にボルト１３、ナット１４による締め付けを実行できる。
【００３６】
図５、図６は、カバーと蓋部材の別実施形態を示す。カバー３６には点検口３８が設けられているとともに、この点検口３８は雌ねじが形成された雌ねじ孔になっており、蓋部材３９は、点検口３８の雌ねじに螺入される雄ねじ部３９Ａを有する雄ねじ部材となっている。
【００３７】
図７、図８は、さらなるカバーと蓋部材の別実施形態を示す。カバー４６には点検口４８が設けられ、蓋部材４９は、板状の本体４９Ａと、この本体４９Ａに接着されたシート状の防水部材４９Ｂとからなる。蓋部材４９は、蓋部材４９の孔５１に挿通されてカバー４６のねじ孔５２に螺入されるビス５０でカバー４６に止められ、防水部材４９Ｂにより点検口４８への雨水の侵入が防止される。
【００３８】
図９と図１０は、座部材の別実施形態を示す。図９の座部材３０は、板状の本体３０Ａと、この本体３０Ａのナット１４側の面に固定された粘着シート３０Ｂとを有し、ナット１４が粘着シート３０Ｂに粘着されることにより、ナット１４は座部材３０に少なくとも回転方向に連結される。また、この実施形態では、本体３０Ａの柱１５側の面にも粘着シート３０Ｃが固定され、この粘着シート３０Ｃが柱１５に粘着することにより、座部材３０は柱１５に少なくとも回転方向に連結され、これにより、工具でボルト１３を回転させたとき、ナット１４と座部材３０の両方の回転が阻止され、ボルト１３とナット１４による締め付けが確実に行われるようになっている。
【００３９】
図１０の座部材４０は四角の金属板で形成されているとともに、この金属板の対角線方向二箇所の角部をナット１４側に折り曲げることにより、これらの角部による突起４０Ａを備えたものとなっており、これらの突起４０Ａにナット１４の側面が当接することにより、ナット１４は座部材４０に回転方向に連結状態となる。また、この実施形態では、座部材４０の残り二箇所の角部を柱１５側に折り曲げることにより、これらの角部で形成されて柱１５に食い込む突起４０Ｂが設けられており、これにより、工具でボルト１３を回転させたとき、図９の実施形態と同様に、ナット１４と座部材４０の両方の回転が阻止されるようになっている。
【００４０】
【発明の効果】
本発明によると、建物の完成後であっても、この建物に付設されている付設物の構造材の基端部を確認できるという効果を得られる。
【図面の簡単な説明】
【図１】付設物として住宅の開口部部分に付設されたバルコニを示す斜視図である。
【図２】図１のバルコニの構造材である桁材の基端部の構造を示す縦断面図である。
【図３】図２のIII−III線断面図である。
【図４】桁材の基端部の分解斜視図である。
【図５】別実施形態に係るカバーと蓋部材を使用した構造を示す図２の要部と同様の図である。
【図６】図５のカバーと蓋部材を示す斜視図である。
【図７】さらに別実施形態に係るカバーと蓋部材を使用した構造を示す図２の要部と同様の図である。
【図８】図７のカバーと蓋部材を示す斜視図である。
【図９】別実施形態に係る座部材を示す斜視図である。
【図１０】さらに別実施形態に係る座部材を示す斜視図である。
【符号の説明】
２  付設物であるバルコニ
５  バルコニの構造材である桁材
１０  桁材の基端部を形成する基端部材
１３，１４  締結具であるボルト、ナット
１５  建物の構造材である柱
１６，３６，４６  カバー
１８，３８，４８  点検口
１９，３９，４９  蓋部材
２０，３０，４０  座部材
２３  ボルトを回転させて締め付けるための工具
【図１】
0003662390.tif 000002
【図２】
0003662390.tif 000003
【図３】
0003662390.tif 000004
【図４】
0003662390.tif 000005
【図５】
0003662390.tif 000006
【図６】
0003662390.tif 000007
【図７】
0003662390.tif 000008
【図８】
0003662390.tif 000009
【図９】
0003662390.tif 000010
【図１０】
0003662390.tif 000011